(57)【要約】【課題】  多チャンネルから入力された画像データを多チャンネルに出力することができ、しかも各出力画像は各入力チャンネルで同期させることが可能な多チャンネル画像出力装置を提供する。【解決手段】  複数の画像信号入力部１０と、画像信号入力部１０から入力された信号のそれぞれを符号化データに変換するエンコーダ２０と、エンコーダ２０により変換された符号化データを記憶させる記憶手段３０と、記憶手段３０に記憶されている符号化データを復号するデコーダ４０と、デコーダ４０により復号された復号化データを一時的に記憶させる複数のバッファ５０と、複数のバッファ５０のそれぞれに接続された複数の画像信号出力部６０と、複数のバッファ５０から複数の画像信号出力部６０に復号化データを送信する際の同期を取るためのクロック発生手段７０を有することを特徴とする。【選択図】  図１
2007235454.tif 000002
【特許請求の範囲】
【請求項１】
それぞれ同期された画像信号が入力される複数の画像信号入力部と、
前記複数の画像信号入力部から入力された信号のそれぞれを符号化データに変換するエンコーダと、
前記エンコーダにより変換された符号化データを記憶させる記憶手段と、
前記記憶手段に記憶されている符号化データを復号するデコーダと、
前記デコーダにより復号された復号化データを一時的に記憶させる複数のバッファと、
前記複数のバッファのそれぞれに接続された複数の画像信号出力部と、
前記複数のバッファから前記複数の画像信号出力部に前記復号化データを送信する際に同期させるためのクロック信号を発生するクロック信号発生手段と、を有することを特徴とする多チャンネル画像出力装置。
【発明の詳細な説明】
【技術分野】
【０００１】
本発明は、多チャンネル画像出力装置に関し、より詳細には、多チャンネルから入力された画像を互いに同期させた状態で複数チャンネルに出力する多チャンネル画像出力装置に関する。
【背景技術】
【０００２】
セキュリティ分野等においては、複数のカメラで撮影された複数の画像データを一つの画面にまとめて表示し、複数の画像データを同時に確認することができる映像機器（例えば、特許文献１）が提供されている。
また、複数のカメラで撮影した複数の画像データを同期させて撮影することが可能なカメラ（例えば特許文献２）も提供されている。
【特許文献１】特開２００２−３４４９４５号公報
【特許文献２】特開２００５−２８６４５３号公報
【発明の開示】
【発明が解決しようとする課題】
【０００３】
特許文献１にある技術のように、多チャンネルから入力された画像データを一つの画面内に出力する場合、画面内おいては入力データの表示面積が小さくなるため、各チャンネルの詳細な内容について確認することが非常に困難である。
また、一つの画面に多数の画像データを出力させる場合には、各チャンネルのフレームレートを削減しなければならず、映像画質が劣化してしまい、画像の表示面積が狭くなることとあいまって詳細部を確認することが事実上できないという課題があった。
また、現状における装置ではサラウンド映像や立体視映像の再生が困難であるという課題がある。
【０００４】
本発明は上記課題を解決すべくなされたものであり、その目的とするところは、多チャンネルから入力された画像データを多チャンネルに出力することができ、しかも各出力画像を同期させることができる多チャンネル画像出力装置を提供することにある。
【課題を解決するための手段】
【０００５】
本発明に係る多チャンネル画像出力装置は以下の構成を備える。
すなわち、それぞれ同期された画像信号が入力される複数の画像信号入力部と、前記複数の画像信号入力部から入力された信号のそれぞれを符号化データに変換するエンコーダと、前記エンコーダにより変換された符号化データを記憶させる記憶手段と、前記記憶手段に記憶されている符号化データを復号するデコーダと、前記デコーダにより復号された復号化データを一時的に記憶させる複数のバッファと、前記複数のバッファのそれぞれに接続された複数の画像信号出力部と、前記複数のバッファから前記複数の画像信号出力部に前記復号化データを送信する際の同期させるためのクロック信号を発生するクロック信号発生手段と、を有することを特徴とする多チャンネル画像出力装置である。
【発明の効果】
【０００６】
本発明に係る多チャンネル画像出力装置によれば、各画像信号入力部から入力された画像を同期させた状態で多チャンネルに出力することができる。これにより、立体視映像の記録再生等を簡便に行うことができる。
【発明を実施するための最良の形態】
【０００７】
以下、本実施の形態における多チャンネル画像出力装置の最良の形態を説明する。図１は、本実施の形態における多チャンネル画像出力装置の概略構成を示すブロック図である。
図１に示すように本実施の形態における多チャンネル画像出力装置１００は、複数チャンネルの画像信号入力部１０と、画像信号を所定の符号化データに変換するエンコーダ２０と、符号化データを記憶する記憶手段３０と、符号化データを復号処理するデコーダ４０と、復号したデータを一時的に記憶する複数のバッファ５０と、各バッファ５０に記憶させた復号データを表示する画像信号出力部６０と、クロック発生手段７０と、全体の動作を制御するための制御手段８０と、を有している。
【０００８】
画像信号入力部１０は、図示しない外部映像機器からの画像信号が入力可能に設けられている。本実施の形態においては、画像信号入力部から入力される画像信号はアナログビデオ信号が入力されるものとして説明をすすめる。
画像信号入力部１０は複数チャンネル設けられていて、各画像信号入力部１０から入力される画像信号は予め互いに同期が取られている。
本実施の形態においては、アナログビデオカメラ等の外部映像機器同士が互いにリンクして接続されており、同期信号により互いの外部映像機器同士を同期させているので、画像信号入力部１０から入力されるアナログ形式の画像信号は互いに同期された状態になる。
【０００９】
各画像信号入力部１０から入力された画像信号データは、エンコーダ２０により所定のデータ形式に符号化処理される。本実施の形態におけるエンコーダ２０は、アナログ形式の画像データをＭＰＥＧ形式のディジタル信号に符号化している。ＭＰＥＧ形式に符号化処理されたデータは、画像信号入力部１０のチャンネルに対応させた状態で記憶手段３０に記憶される。
記憶手段３０は、ハードディスクドライブやフラッシュメモリ等の公知の不揮発性メモリを用いるのが好適である。
【００１０】
デコーダ４０は、記憶手段３０に記憶されているＭＰＥＧ形式の符号化データを復号処理する。デコーダ４０により、復号処理された画像データは一旦バッファ５０に記憶される。
バッファ５０は、画像信号入力手段１０のチャンネルにそれぞれ対応した状態に設けられている。すなわち、バッファ５０は、画像信号入力手段１０のチャンネル数と同数が配設されている。バッファ５０にはＲＡＭ等の公知の揮発性メモリを用いることができる。
【００１１】
各バッファ５０の後段には、ＬＣＤ等の画像信号出力部６０が接続されている。画像信号出力部６０もまた、画像信号入力部１０のチャンネル数と同数配設されている。各バッファ５０に記憶された画像データは、ＣＰＵ等の制御手段８０がすべてのバッファ５０に画像データが記憶されているか否かが確認された後、制御手段８０がクロック発生手段７０により発生されたクロックに同期させて各バッファ５０の画像データを画像出力手段６０に出力させる。
多チャンネル画像出力装置１００の概略構成は以上のようになっている。
【００１２】
次に、本実施の形態における多チャンネル画像出力装置１００のデータ処理方法について説明する。図２は、本実施の形態におけるチャンネル画像出力装置のデータ処理の手順を示すフロー図である。
【００１３】
まず、図示しない複数台のアナログビデオカメラから各画像信号入力部１０にアナログビデオ信号が入力（ステップ１）される。アナログビデオ信号が入力されると制御手段８０がエンコーダ２０に各画像信号入力部１０から入力された各アナログビデオ信号をＭＰＥＧ形式へ符号化処理（ステップ２）させる。ＭＰＥＧ形式の符号化データが生成された後、制御手段８０がエンコーダ２０により符号化処理された符号化データを各画像信号入力部１０に対応させて符号化データを記憶手段３０に記憶（ステップ３）させる。
【００１４】
続いて、制御手段８０は、記憶手段３０に記憶させた画像信号入力部１０の入力チャンネルごとの符号化データをデコーダ４０に復号化処理（ステップ４）させ、ディジタル画像データに変換させる。デコーダ４０は、各画像信号入力部１０に対応して記憶手段３０に記憶されている符号化データのそれぞれを順番に復号化処理しても良いし、すべての画像信号入力部１０に対応する符号化データを同時に処理（並列処理）することもできる。
制御手段８０は、符号化データがデコーダ４０により復号化処理され、ディジタル画像データが生成されると、各画像信号入力部１０に対応するバッファ５０のそれぞれに、復号化処理により得られたディジタル画像データを記憶（ステップ５）させる。
【００１５】
制御手段８０は、各バッファ５０にディジタル画像データが記憶されているか否を確認（ステップ６）し、すべてのバッファ５０にディジタル画像データが記憶されていないと判断した場合（ステップ６のＮｏ側）には、所定時間（デコーダ４０が符号化データの最小単位をデコード処理するために必要な時間）待機（ステップ７）した後に再度ステップ６に戻り、制御手段８０がすべてのバッファ５０に画像データが記憶されていると判断した場合（ステップ６のＹｅｓ側）には、クロック発生手段７０により常時生成されているクロックを用いて、各バッファ５０の後段に接続されている画像出力部６０にバッファ５０内の画像データを同期させて出力（ステップ８）させる。
以降は、ステップ４〜ステップ８を繰り返し実行することにより、動画を複数の画像出力部６０に互いに同期させた状態表示させることができる。
【００１６】
以上に、本願発明に係る多チャンネル画像出力装置について詳細に説明してきたが、本発明は、以上の実施の形態に限定されるものではない。
例えば、本実施の形態においては、多チャンネル画像出力装置１００にクロック発生手段７０が設けられている形態について説明を行っているが、バッファ５０に用いるメモリが発生するクロック信号を利用する形態とすれば、図３に示すようにクロック発生手段７０の配設を省略することができるため好都合である。この場合、バッファ５０同士の同期は、画像信号入力部１０の入力部の数と同数の複数のバッファ５０のうちいずれか一つのバッファ５０を基準バッファに設定しておけばよい。このような構成を採用することにより、すべてのバッファ５０を同期させることができ、複数の画像出力部６０に複数の画像を同期させた状態で出力するが可能になる。
【００１７】
また、本実施の形態においては、画像信号入力部１０に入力する画像信号がアナログビデオ信号である形態について説明しているが、画像信号はディジタルビデオ信号とすることももちろん可能である。この場合、データの保存効率の観点によっては、図４に示すようにエンコーダ２０の配設を省略することも可能である。
さらには、本実施の形態においては、ＭＰＥＧ形式を例にとって符号化の説明を行っているが、符号化はＭＰＥＧ形式に限定されるものではなく、例えば、ＪＰＥＧ、ＪＰＥＧ２０００等の形式に符号化することももちろん可能である。
【産業上の利用可能性】
【００１８】
本願発明に係る多チャンネル画像出力装置は、複数カメラによって撮影された映像を同期させて表示させる立体映像の記録・再生や、パノラマ映像の記録・再生や、サラウンド映像の記録・再生や、マルチアングル映像の記録・再生への適用が可能である。
立体視映像においては、医療・科学・娯楽用コンテンツ分野での利用が可能であり、パノラマ・サラウンド映像においては、乗り物のシミュレータや風景撮影および圧延鋼板の製造現場等の大面積製造物の製造現場の撮影での利用が可能である。
また、マルチアングル映像においては、コンサート会場の撮影やスポーツ選手の撮影、プレゼンテーション現場において、話し手とスクリーンの同時撮影や、工場における複数個所の同時撮影等に利用することもできる。
【図面の簡単な説明】
【００１９】
【図１】本実施の形態における多チャンネル画像出力装置の概略構成を示すブロック図である。
【図２】本実施の形態におけるチャンネル画像出力装置のデータ処理の手順を示すフロー図である。
【図３】本発明における他の実施形態を示すブロック図である。
【図４】本発明における他の実施形態を示すブロック図である。
【符号の説明】
【００２０】
１０  画像信号入力部
２０  エンコーダ
３０  記憶手段
４０  デコーダ
５０  バッファ
６０  画像信号出力部
７０  クロック発生手段
１００  多チャンネル画像出力装置
【図１】
2007235454.tif 000003
【図２】
2007235454.tif 000004
【図３】
2007235454.tif 000005
【図４】
2007235454.tif 000006